(57)【特許請求の範囲】
【請求項１】
回転ドラムと、
前記回転ドラムを収容する外槽と、
前記回転ドラムを駆動するモータと、
前記外槽を支持し、上面カバーおよび左右の側板を有する筐体と、
洗濯機の運転を制御する回路基板を収容する基板ケースと、
前記筐体の上部に設けられ、前記外槽内に洗剤を投入する洗剤ケースと、
前記筐体の上部に設けられ、前記外槽内に給水する給水ユニットと、
を備えたドラム式洗濯機であって、
前記筺体は、前記左右の側板の上部をつなぐ上補強材を有し、
前記基板ケースは、前記筐体内において前記外槽の上部の前記上補強材で支持され、
前記洗剤ケースは、洗剤を投入する開口が上向きに形成された洗剤投入室と、前記開口を開閉する蓋部材と、を有し、
前記蓋部材の先端は、回動軸により回動して開放時に上向きとなり、
前記給水ユニットは、前記洗剤ケースの後方、かつ、前記基板ケースの下方に配置され、
前記洗剤ケースは、前記基板ケースと鉛直方向において重ならないように、前記基板ケースの前方に配置したことを特徴とするドラム式洗濯機。
【請求項２】
前記回路基板の実装面が鉛直方向下向きに設定されていることを特徴とする請求項１に記載のドラム式洗濯機。
【請求項３】
前記基板ケースは、前記実装面を上下反転させた状態で前記筐体に支持される支持部を備えることを特徴とする請求項２に記載のドラム式洗濯機。
【請求項４】
前記基板ケースは、底面に前記基板ケースの外部と連通する孔が形成されていることを特徴とする請求項１から請求項３のいずれか１項に記載のドラム式洗濯機。
【発明の詳細な説明】
【技術分野】
【０００１】
本発明は、洗濯機本体の設置性に優れたドラム式洗濯機に関する。
【背景技術】
【０００２】
従来のドラム式洗濯機では、洗濯機本体を真下排水として設置する場合、設置時の作業性を向上させるために、基板を筐体の上部に配置する構成が提案されている（特許文献１参照）。このように基板を筐体の上部に配置することで、ドラム式洗濯機本体を真下排水として設置する際に基板を取り外すなどの煩雑な作業を不要にできる。
【先行技術文献】
【特許文献】
【０００３】
【特許文献１】特開２０１０−６３７５０号公報
【発明の概要】
【発明が解決しようとする課題】
【０００４】
ところで、ドラム式洗濯機では、洗剤を投入する洗剤ケースが引き出し式であるのが一般的であり、洗剤ケースを設置するには、奥行方向に長いスペースが必要になる。この場合、基板を筐体の上部に配置すると、洗剤ケースと基板ケースとが鉛直方向において重なり合ってしまい、洗濯機本体の高さ寸法が高くなるという問題がある。
【０００５】
しかしながら、洗濯機本体の高さ寸法は、水道栓の位置によって制約があるため、基板と洗剤ケースを設置するための高さ寸法を確保しようとすると、洗濯槽の径を小さくしたり、洗濯槽の高さ位置（衣類を出し入れするための投入口の高さ）を低くしなければならない。このように洗濯槽の径を小さくすると、洗浄能力や乾燥時の仕上がり能力が低下し、また洗濯槽の高さ位置を低くすると、投入口の高さが低くなって衣類の出し入れがし難くなるという問題がある。
【０００６】
本発明は、前記従来の問題を解決するものであり、洗濯機の性能や使い勝手を向上させることができるドラム式洗濯機を提供することを課題とする。
【課題を解決するための手段】
【０００７】
本発明は、回転ドラムと、前記回転ドラムを収容する外槽と、前記回転ドラムを駆動するモータと、前記外槽を支持し、上面カバーおよび左右の側板を有する筐体と、洗濯機の運転を制御する回路基板を収容する基板ケースと、前記筐体の上部に設けられ、前記外槽内に洗剤を投入する洗剤ケースと、前記筐体の上部に設けられ、前記外槽内に給水する給水ユニットと、を備えたドラム式洗濯機であって、前記筺体は、前記左右の側板の上部をつなぐ上補強材を有し、前記基板ケースは、前記筐体内において前記外槽の上部の前記上補強材で支持され、前記洗剤ケースは、洗剤を投入する開口が上向きに形成された洗剤投入室と、前記開口を開閉する蓋部材と、を有し、前記蓋部材の先端は、回動軸により回動して開放時に上向きとなり、前記給水ユニットは、前記洗剤ケースの後方、かつ、前記基板ケースの下方に配置され、前記洗剤ケースは、前記基板ケースと鉛直方向において重ならないように、前記基板ケースの前方に配置したことを特徴とする。
【発明の効果】
【０００８】
本発明によれば、洗濯機の性能や使い勝手を向上させることができるドラム式洗濯機を提供できる。
【図面の簡単な説明】
【０００９】
【図１】本実施形態に係るドラム式洗濯機の外観を示す斜視図である。
【図２】給水ユニットの概略を筐体の上方から見たときの斜視図である。
【図３】基板ケースの配置を示す斜視図である。
【図４】基板ケースと洗剤ケースとの位置関係を示す平面図である。
【図５】基板ケースを示し、（ａ）は正面図、（ｂ）は上面図、（ｃ）は下面図、（ｄ）は左側面図である。
【図６】基板ケースの取付状態を示す正面図である。
【図７】基板ケースの内部を示す断面斜視図である。
【図８】基板を上下反転させて筐体に支持させた状態を示す斜視図である。
【図９】図８の要部拡大図である。
【図１０】図９のＢ−Ｂ線断面図である。
【図１１】基板ケースを上下反転させてカバーを取り外して筐体に支持させた状態を示す正面図である。
【発明を実施するための形態】
【００１０】
以下、本発明を実施するための形態（以下「実施形態」という）について、適宜図面を参照しながら詳細に説明する。
図１に示すように、本実施形態のドラム式洗濯機Ａ（以下、洗濯機と表記する）は、洗濯から乾燥までの工程を行うことができるものであり、外郭が鋼板と樹脂成型品とを組み合わせて構成された筐体１を有する。この筐体１には、操作パネル２、洗剤ケース３、給水ユニット４、外槽５、回転ドラム６（内槽）、ダンパ７、扉８、基板ケース９などが設けられている。
【００１１】
筐体１は、ベースＢｓ、左右の側板１ａ，１ｂ（図３参照）、前面カバー１ｃ、背面カバー１ｄ（図３参照）、上面カバー１ｅ、下部前面カバー１ｆなどで構成されている。側板１ａ，１ｂおよび背面カバー１ｄは、鋼板をプレス成形によって構成したものである。ベースＢｓ、前面カバー１ｃ、上面カバー１ｅおよび下部前面カバー１ｆは、合成樹脂を成型して構成したものである。
【００１２】
操作パネル２は、筐体１の上部右側の手前に横長に構成され、電源スイッチ、各種操作ボタン、表示器などを備えている。
【００１３】
洗剤ケース３は、筐体１の上部左側の手前に設けられ、洗剤投入室３ａ，３ｂ，３ｃと、蓋部材３ｄとで構成されている。洗剤投入室３ａ，３ｂ，３ｃは、上向きに形成された開口３ａ１，３ｂ１，３ｃ１を有し、開口３ａ１，３ｂ１，３ｃ１を介して粉末洗剤、液体洗剤、柔軟剤をそれぞれ別々に投入できるように区画されている。蓋部材３ｄは、洗剤投入室３ａ，３ｂ，３ｃの後方に、水平方向（閉止）および鉛直方向（開放）の間を回動可能に支持された回動軸（不図示）を有し、開放時に蓋部材３ｄの先端が上向きとなるように構成されている。このように、本実施形態に係る洗剤ケース３は、前後に引き出す方式のものではないので、洗剤ケース３を設置する際の前後方向のスペースを短くすることができる。
【００１４】
図２に示すように、給水ユニット４は、洗剤ケース３の後方、かつ、後記する基板ケース９（２点鎖線参照）の下方に配置されている。また、給水ユニット４は、後方に水道栓から給水を行う給水ホース接続口４ａ、風呂の残り湯を導入する風呂水ホース接続口４ｂなどを備えた洗剤給水電磁弁Ｖを備えるとともに、洗剤ケース３に給水するための給水管Ｐ１，Ｐ２、洗剤ケース３から後記する外槽５に供給するための送出管Ｐ３等を備えている。
【００１５】
洗剤給水電磁弁Ｖから供給された水は、給水管Ｐ１を介して、洗剤投入室３ａ，３ｂを構成する後側の側面３ｅに形成された導入口３ｅ１から洗剤投入室３ａ，３ｂ内に導入され、給水管Ｐ２を介して、洗剤投入室３ｃを構成する後側の側面３ｆに形成された導入口３ｆ１から洗剤投入室３ｃ内に導入される。洗剤投入室３ａに導入された水は、底面に形成された孔から外槽５内に導入され、洗剤投入室３ｂ，３ｃに導入された水は、サイホン機構によって吸い出されて外槽５内に導入されるように構成されている。
【００１６】
図１に戻って、外槽５は、洗いおよびすすぎの際に、使用する水が注がれて一時的に貯留されるドラム形の水槽であり、衣類投入口側が開口された有底円筒体からなる。また、外槽５の背面には、後記する回転ドラム６を駆動させるモータＭが設けられている。
【００１７】
回転ドラム６は、洗濯兼脱水槽として機能し、外槽５内に同軸上に内包される有底円筒体からなる。また、回転ドラム６は、手前側に衣類を出し入れするための開口部（図示せず）、および周壁に通水および通風のための多数の貫通孔（図示せず）を有している。
【００１８】
また、回転ドラム６の内周壁には、奥行き方向（軸方向）に延びるリフタ（不図示）が複数個設けられている。洗濯、乾燥時に回転ドラム６が回転すると、衣類などがリフタと遠心力で周壁に沿って持ち上がり、重力で落下するような動きを繰り返すようになっている。また、回転ドラム６の回転中心は、開口部側が高くなるように傾斜している。
【００１９】
ダンパ７は、外槽５の下部を弾性的に支持している。なお、図１では、右側のダンパ７のみを図示しているが、左側にも同様なダンパが設けられている。また、外槽５の上部は、側板１ａ，１ｂ（図３参照）の上部をつなぐ上補強材１ｇ（図３参照）と、側板１ａ，１ｂ（図３参照）の背面上部をつなぐ後補強材１ｉとをまたぐように設けられた支持部材（不図示）に補助ばね（不図示）が設けられ、弾性的に吊り下げられている。
【００２０】
扉８は、前面カバー１ｃに設けられた開口部（図示せず）を開閉して衣類を出し入れするものである。例えば、扉８に設けられた図示しないレバーを操作することで扉８が開放し、扉８を前面カバー１ｃ側に押圧することで扉８が前面カバー１ｃにロックされるように構成されている。
【００２１】
なお、図示していないが、洗濯機Ａは、外槽５内の空気を除湿する除湿手段（例えば、水冷除湿機構）、除湿した空気を加熱する加熱手段、外槽５（回転ドラム６）内と加熱手段および除湿手段との間において空気を循環させる循環手段を備えている。
【００２２】
図３に示すように、基板ケース９は、筐体１内の上部左側に配置されている。なお、図３は、筐体１から前面カバー１ｃ、上面カバー１ｅおよび下部前面カバー１ｆを取り外し、基板ケース９を除く内部の構造体の図示を省略した状態を示す。
【００２３】
このように、基板ケース９を筐体１の上部に配置することにより、洗濯機Ａを真下排水として設置する場合、下部前面カバー１ｆを取り外すだけで、真下排水の設定をすることができ、真下排水設置時の作業性を向上させることができる。
【００２４】
また、基板ケース９を筐体１の上部に配置することにより、リード線（配線）のトータルの長さを短くすることができる。これは、加熱手段としてのヒータ、循環手段としてのファンなど主要な電気部品が筐体１内の上部に配置されていることによる。例えば、センサ系のリード線を短くできることにより、ノイズによる検出誤差を低減することが可能になる。
【００２５】
また、基板ケース９を筐体１の上部に配置することにより、基板ケース９から発生する熱を乾燥工程において外槽５内に取り込むように構成することで、加熱手段（ヒータ）で消費される電力を削減することが可能になる。
【００２６】
図３に示すように、筐体１は、左右の側板１ａ，１ｂの上部をつなぐ上補強材１ｇ、側板１ａ，１ｂの前部をつなぐ前補強材１ｈ、側板１ａ，１ｂの背面上部をつなぐ後補強材１ｉで構成されており、ベースＢｓを含めて箱状の筐体１を形成し、筐体として十分な強度を有している。
【００２７】
上補強材１ｇは、１枚ものの鋼板をプレス成形により二股状に構成したものであり、基板ケース９の上方を通る第１支持部１ｇ１と、基板ケース９の下方を通る第２支持部１ｇ２とを有している。第１支持部１ｇ１は、第２支持部１ｇ２よりも前方に位置し、かつ、幅狭に形成されている。また、上補強材１ｇは、左右の両端部がＬ字状に形成され、右端部が側板１ａに、左端部が側板１ｂにそれぞれねじ固定されている。
【００２８】
基板ケース９は、略四角箱状に形成され、その前端部が第１支持部１ｇ１と第２支持部１ｇ２との間に挿入された状態で筐体１に取り付けられている。このように、基板ケース９を第１支持部１ｇ１と第２支持部１ｇ２との間に挿入する構成とすることで、基板ケース９を安定して保持することができる。また、第１支持部１ｇ１を第２支持部１ｇ２の前方に配置し、かつ、第１支持部１ｇ１の幅を第２支持部１ｇ２よりも幅狭に形成することで、製造組立て時やメンテナンス時において基板ケース９を筐体１に取り付ける際に、基板ケース９の取り付けが容易になる。
【００２９】
つまり、基板ケース９よりも後方に設けられた洗剤給水電磁弁Ｖは、給水ホース接続口４ａや風呂水ホース接続口４ｂ（図２参照）が鉛直方向に突出して設けられているため、上補強材１ｇが幅広で、基板ケース９を上補強材１ｇの下方にもぐり込ませる距離が長いと、基板ケース９が給水ホース接続口４ａや風呂水ホース接続口４ｂ（図２参照）に引っ掛かり、そのままでは上補強材１ｇに挿入することができなくなる。しかし、本実施形態では、上補強材１ｇを前記した形状にすることで、基板ケース９が給水ホース接続口４ａや風呂水ホース接続口４ｂに引っ掛かることなく基板ケース９の下方に容易にもぐり込ませることが可能になる。
【００３０】
図４に示すように、洗濯機Ａを鉛直方向の上方から見た場合、基板ケース９は、洗剤ケース３の後方に位置し、洗剤ケース３と基板ケース９とが鉛直方向（紙面垂直方向）において重ならない（ラップしない）ように配置されている。このように重ならないのは、洗剤ケース３が前後方向に引き出す方式のものではなく、洗剤投入室３ａ，３ｂ，３ｃの洗剤投入用の開口が上向きで、軸回りに回動する蓋部材３ｄを備える方式のものであるからである。ちなみに、筐体１内の基板ケース９の右側には、乾燥工程用の空気を加熱するヒータ、空気を循環させるファン、埃などを除去する乾燥フィルタなどが設けられている。
【００３１】
図５（ａ）に示すように、基板ケース９は、回路基板１００（図７参照）を収容するものであり、ケース本体１０とカバー１１とが組み合わされて構成されている。ケース本体１０は、上側に位置し、カバー１１は、下側に位置した状態で筐体１（図３参照）に取り付けられている。
【００３２】
なお、回路基板１００は、ＣＰＵ（Central Processing Unit）、プログラムを記憶したＲＯＭ（Read Only Memory）、ＲＡＭ（Random Access Memory）、各種回路、入出力インターフェイスなどの電子部品１０２（図７参照）を実装して構成され、設定された運転工程に応じてモータＭを含む各種の駆動部を統括的に制御するものである。
【００３３】
ケース本体１０は、四角箱型で扁平な形状を呈し、右側面１０ａにＬ字形状の係止部１０ｂ（支持部）と、係止部１０ｂの後方にＬ字形状のフック１０ｃ（支持部）がそれぞれ形成されている。係止部１０ｂおよびフック１０ｃは、先端が鉛直方向（上下方向）上向きとなるように形成されている。また、フック１０ｃは、係止部１０ｂよりも側方に突出し、配線（ハーネス）を引っ掛けて支持する機能を有している。一方、ケース本体１０の左側面１０ｄには、Ｌ字形状の係止片１０ｅが形成されている。この係止片１０ｅは、先端が鉛直方向下向きとなるように形成されている。
【００３４】
カバー１１は、ケース本体１０の開放した開口を覆うものであり、正面視（平面視）において略台形状の膨出部１１ａが下方に突出して形成されている。この膨出部１１ａは、左右方向の略中央から左側が突出している。また、膨出部１１ａの正面側の側面１１ａ１には、複数本のスリットからなる排気口１１ｂが形成されている。
【００３５】
図５（ｂ）に示すように、ケース本体１０には、左側面１０ｄの後方に、ねじ止め用の取付片１０ｆが左側方に突出して形成されている。この取付片１０ｆには、鉛直方向（紙面に直交する方向）にねじ挿通孔１０ｆ１が貫通して形成されている。また、取付片１０ｆは、図示しないねじを介して、筐体１の側板１ｂの上端面１ｂ１（図６参照）にねじ止めされることで、基板ケース９の左側が固定される。なお、基板ケース９の右側は、例えば、上補強材１ｇと後補強材１ｉとを連結する支持部材（不図示）に対する凹凸嵌合、上補強材１ｇによって支持されている。
【００３６】
図５（ｃ）に示すように、カバー１１には、膨出部１１ａが形成された底面１１ａ２に、円形の貫通孔１１ｃ（孔）が形成されている。貫通孔１１ｃの周縁部には、カバー１１の内側に突出する突起１１ｄ，１１ｄが貫通孔１１ｃの中心を挟んで対向する位置に基板ケース９内に突出するように形成されている。なお、図５（ｃ）に示す丸（円）は、突起１１ｄの凹みを図示している。
【００３７】
また、カバー１１の内側には、貫通孔１１ｃに対応する位置に冷却ファンＦが取り付けられている。冷却ファンＦは、四角箱型形状の筐体ｆ１（図７参照）の内側にファン（図示せず）が収容されたものであり、貫通孔１１ｃの中心を挟んで対向する位置における底面１１ａ２にねじ固定されている。これにより、筐体ｆ１（図７参照）が内側に突出した突起１１ｄ，１１ｄに当接することで、冷却ファンＦと底面１１ａ２との間に隙間Ｓ１（図７参照）が形成されるようになっている。
【００３８】
なお、ヒートシンク１１０は、アルミニウム合金など放熱性に優れた材料で形成され、回転ドラム６のモータＭを回転させるＩＰＭ素子（不図示）が実装される位置に設けられている。また、ヒートシンク１１０は、冷却ファンＦに向けて立設した複数枚のフィン１１０ａ（図７参照）を有し、冷却ファンＦの冷却風がフィン１１０ａ（図７参照）の先端（下端）から供給されるようになっている。このように、ヒートシンク１１０のフィンに対して側面から冷却風を供給する場合よりも冷却性能を向上できる。
【００３９】
図５（ｄ）に示すように、カバー１１の左側面１１ａ３には、複数本のスリットからなる排気口１１ｅが形成されている。なお、冷却ファンＦによって貫通孔１１ｃから内部に導入された空気は、ヒートシンク１１０（図７参照）を介してＩＰＭ素子（不図示）などを冷却した後、排気口１１ｂ（図５（ａ）参照）および排気口１１ｅから排出されるようになっている。
【００４０】
図６に示すように、基板ケース９は、上補強材１ｇの第１支持部１ｇ１と第２支持部１ｇ２との間に挿入されるようにして取り付けられる。第１支持部１ｇ１は、基板ケース９のケース本体１０の上面１０ｇに接するように左右方向に延び、ケース本体１０の左端部においてＬ字状に曲げられて、端部が側板１ｂの上端面１ｂ１にねじ固定されている。
【００４１】
第２支持部１ｇ２は、第１支持部１ｇ１と同じ高さである上段部１ｇ３と、側板１ｂの上端面１ｂ１とほぼ同じ高さで膨出部１１ａが形成されていない底面１１ａ４に対応する位置に形成された中段部１ｇ４と、上端面１ｂ１よりも低く、膨出部１１ａの底面１１ａ２に対応する位置に形成された下段部１ｇ５と、を有している。
【００４２】
また、第２支持部１ｇ２は、中段部１ｇ４と下段部１ｇ５との間が、カバー１１の形状に沿う傾斜支持部１ｇ６により連続して形成され、また上段部１ｇ３と中段部１ｇ４との間が傾斜支持部１ｇ７により連続して形成され、上段部１ｇ３、中段部１ｇ４および下段部１ｇ５が略階段状となるように構成されている。このように、基板ケース９は、中段部１ｇ４と下段部１ｇ５に支持されている。
【００４３】
図７に示すように、基板ケース９の内部には、回路基板１００が設けられている。この回路基板１００は、例えば、ガラスエポキシ基板に配線パターンが印刷されたプリント基板１０１に、集積回路、抵抗器、コンデンサなどの各種の電子部品１０２が実装されたものである。また、回路基板１００は、電子部品１０２の実装面１０１ａが鉛直方向下向きとなるように構成されている。すなわち、ケース本体１０の天井面にプリント基板１０１が固定され、このプリント基板１０１の下面に電子部品１０２が実装されている。
【００４４】
このように、回路基板１００の実装面１０１ａを下向きに設定することにより、万が一基板ケース９内に水が浸入したとしても、電子部品１０２に水が降りかかることを防止できる。また、基板ケース９内に浸入した水は、底面１１ａ２，１１ａ４を流れ、貫通孔１１ｃの周縁部と冷却ファンＦの筐体ｆ１との間の隙間Ｓ１を通って貫通孔１１ｃから基板ケース９の外部に流れ落ちるようになっている。このように、貫通孔１１ｃは、冷却風を基板ケース９内に取り込む機能を有するとともに、排水口としても機能するようになっている。
【００４５】
ところで、洗濯機Ａに不具合が発生して、モータＭ（図１参照）などの部品の交換が必要になった場合には、モータＭから延びて基板ケース９内のコネクタに接続された配線を交換する必要がある。このような場合、本実施形態では、上面カバー１ｅ（図１参照）を外し、基板ケース９と筐体１とを固定するねじを外した後、基板ケース９ごと上下を反転させ（上下逆さまにして）、カバー１１を取り外す。それが図８に示す状態である。つまり、基板ケース９を上下反転させることとは、基板ケース９の左側が右側となるように回転させることである。なお、図８では、回路基板１００の実装面１０１ａに設けられたコネクタと接続される各種配線の図示を省略している。ちなみに、各種配線は、ケース本体１０の縁に形成された切欠き１０ｔに挿通されるように構成されている。
【００４６】
このとき、基板ケース９のケース本体１０は、ケース本体１０の右側面１０ａ（図８では左側の側面）に形成された係止部１０ｂ（支持部）が上補強材１ｇの第１支持部１ｇ１と係合するように筐体１上に配置される。
【００４７】
すなわち、図８の要部を拡大した図９に示すように、第１支持部１ｇ１は、その幅方向の両縁部に補強のために上方に向けて垂直に折り曲げられた立ち上がり部１ｇ８，１ｇ９が長手方向（左右方向）に沿って形成されるとともに、Ｌ字状に形成された左側の端部が前後方向に幅広に形成されている。さらに説明すると、立ち上がり部１ｇ９の左端部は、上端部から鉛直方向に延びる第１垂直部ｇ１、後側下方に向けて傾斜する傾斜部ｇ２、鉛直方向に延びる第２垂直部ｇ３および外側方（左側方）に延びる水平部ｇ４が連続して形成されて、前後方向の幅が広くなるように形成されている。
【００４８】
一方、係止部１０ｂは、基板ケース９を上下反転させたことにより、先端部が鉛直方向下向きとなる。係止部１０ｂは、鉛直方向に沿う略台形状の起立片１０ｂ１を有している。この起立片１０ｂ１は、前端部１０ｂ２が、前方に向けて下方に傾斜する略三角状に形成され、水平部ｇ４よりも前方に若干突出するように形成されている。また、前端部１０ｂ２の先端（下端）には、下方に延びる掛止突起１０ｂ３が形成されている。
【００４９】
このように構成されることにより、基板ケース９を上下反転させて筐体１上に配置したときに、起立片１０ｂ１の前端部１０ｂ２が立ち上がり部１ｇ９の水平部ｇ４の上端に当接する。これにより、ケース本体１０を筐体１に支持させることができる。また、前端部１０ｂ２に形成された掛止突起１０ｂ３は、水平部ｇ４の前側の起立面ｇ５に係止されることで、ケース本体１０が後方に位置ズレしないようになっている。また、係止部１０ｂの後方に配置されたフック１０ｃは、基板ケース９が上下反転することにより、その先端１０ｃ１が側板１ｂの上端面１ｂ１に当接するようになっている。これにより、ケース本体１０を筐体１上において安定して支持することが可能になる。
【００５０】
また、図１０の断面図に示すように、係止部１０ｂは、前端部１０ｂ２の内面１０ｂ４が、立ち上がり部１ｇ９の第２垂直部ｇ３の縁部ｇ６と当接して係止されるようになっている。なお、図１０は、第２垂直部ｇ３の位置で縦方向に沿って切断したときの断面図である。これにより、ケース本体１０を筐体１上に載せたときにケース本体１０が図示右方向にずれ落ちるのを防止することができる。
【００５１】
また、図１１に示すように、上下を反転させたケース本体１０は、その上面１０ｇの一部が第２支持部１ｇ２の中段部１ｇ４上に支持される。このように、ケース本体１０が中断部１ｇ４に支持されることにより、係止部１０ｂの第１支持部１ｇ１での支持と、フック１０ｃの側板１ｂでの支持とで、筐体１上においてケース本体１０を水平、かつ、安定して支持することが可能になる。これにより、部品交換などの作業を安定して行うことが可能になる。
【００５２】
以上説明したように、本実施形態の洗濯機Ａによれば、基板ケース９が筐体１内の外槽５の上部に設けられ、洗剤ケース３が基板ケース９と鉛直方向において重ならないように、洗剤ケース３を基板ケース９の前方に配置したので、洗濯機Ａの高さ寸法を高くする必要がない。
【００５３】
その結果、外槽５の大径化によって回転ドラム６の径を大きくできるので、洗浄能力や乾燥時の仕上がり能力を向上させることができる。つまり、ドラム式洗濯機Ａでは、衣類を落下させて汚れを落とすようにしているので、回転ドラム６の径が大きい方が落下する距離が長くなるので、洗浄力を高くできる。また、回転ドラム６の径が大きくなることにより、乾燥工程時の衣類の広がりも大きくなるので、乾燥時の仕上がりも向上できる。また、本実施形態によれば、外槽５および回転ドラム６の高さ位置を低くする必要もないので、衣類の出し入れがし難くなるといった不都合も生じない。
【００５４】
また、本実施形態によれば、洗剤ケース３は、洗剤を投入する開口３ａ１，３ｂ１，３ｃ１が上向きに形成された洗剤投入室３ａ，３ｂ，３ｃと、回動軸を介して開口３ａ１，３ｂ１，３ｃ１を開閉する蓋部材３ｄと、を備えるので、洗濯機Ａの前後方向に長いスペースを必要とすることがなく、洗剤ケース３と基板ケース９とが鉛直方向において重なる（ラップする）ことがない。ちなみに、本発明は、前記した実施形態に限定されるものではなく、引き出し式のものであっても、例えば、左側の側板１ｂから左側方へ引き出す構成のものであれば、洗濯機Ａの前後方向に長いスペースを確保することなく、洗剤ケースと基板ケース９とを鉛直方向において重ならないようにすることができる。あるいは、洗剤ケースが鉛直方向に構成された回動軸を支点として水平方向に回動して開閉する構成であってもよい。このように、洗剤ケース３の構成は、基板ケース９と鉛直方向に重ならない構成であれば、本実施形態の構成に限定されるものではない。
【００５５】
また、本実施形態によれば、回路基板１００の実装面１０１ａが鉛直方向下向きに設定されているので、万が一基板ケース９内に水が浸入したとしても、電子部品１０２に水がかかるのを防止することができる（図７参照）。
【００５６】
また、本実施形態によれば、基板ケース９は、実装面１０１ａを上下反転させた状態で筐体１に支持される係止部１０ｂおよびフック１０ｃを備えるので、例えば、洗濯機Ａに不具合が発生して、基板ケース９を開ける必要性が生じたときに、基板ケース９を上下反転させることで、基板ケース９（ケース本体１０）を筐体１（側板１ｂの上端面１ｂ１）に支持させることができる。その結果、基板ケース９と外部の部品とを接続する配線を外すなどの作業を安定して行うことができる。
【００５７】
また、本実施形態によれば、基板ケース９は、底面１１ａ２に基板ケース９の外部と連通する貫通孔１１ｃが形成されているので、図７において矢印で示すように、基板ケース９内に侵入した水は、底面１１ａ２に沿って流れ落ち、貫通孔１１ｃの周縁と冷却ファンＦとの隙間Ｓ１を介して貫通孔１１ｃから排出される。したがって、基板ケース９内に水が溜まるのを防止することができる。
【符号の説明】
【００５８】
１        筐体
１ｇ      上補強材
１ｇ１    第１支持部
１ｇ２    第２支持部
３        洗剤ケース
３ａ，３ｂ，３ｃ  洗剤投入室
３ａ１，３ｂ１，３ｃ１  開口
３ｄ      蓋部材
４        給水ユニット
５        外槽
６        回転ドラム
９        基板ケース
１０      ケース本体
１０ｂ    係止部（支持部）
１０ｂ１  起立片
１０ｂ２  前端部
１０ｂ３  掛止突起
１０ｃ    フック（支持部）
１０ｃ１  先端
１１      カバー
１１ａ２  底面
１１ｃ    貫通孔（孔）
１００    回路基板
１０１ａ  実装面
Ａ        洗濯機（ドラム式洗濯機）
Ｍ        モータ
【図１】
0005990858.tif 000002
【図２】
0005990858.tif 000003
【図３】
0005990858.tif 000004
【図４】
0005990858.tif 000005
【図５】
0005990858.tif 000006
【図６】
0005990858.tif 000007
【図７】
0005990858.tif 000008
【図８】
0005990858.tif 000009
【図９】
0005990858.tif 000010
【図１０】
0005990858.tif 000011
【図１１】
0005990858.tif 000012